(57)【要約】【課題】分割数の選択に関して効果的で利便性が高い写真シール作成方法および写真シール作成装置を提供し、ユーザの満足度を向上させる。【解決手段】撮影空間内の一以上の被写体を撮影して複数種類の撮影画像を作成する撮影手段と、前記撮影画像を編集許容する編集手段と、前記撮影画像または／および前記編集画像で構成される印刷対象画像を配置する印刷領域の分割数を選択させる分割数選択手段と、前記印刷対象画像を前記分割数に応じて配置し予め定められた用紙に印刷する印刷手段とを備えた写真シール作成装置であって、前記分割数選択手段を、前記印刷領域中の第１領域内での分割数を選択させる第１分割数選択手段と前記印刷領域中の第２領域内での分割数を選択させる第２分割数選択手段とで構成し、該第１分割数選択手段と第２分割数選択手段を、それぞれの分割数をそれぞれ異なる選択方法で選択させる構成にした。【選択図】図３
2008283365.tif 000002
【特許請求の範囲】
【請求項１】
撮影空間内の一以上の被写体を撮影手段で撮影して複数種類の撮影画像を作成する撮影処理と、
前記撮影画像を編集手段で編集許容する編集処理と、
前記撮影画像または／および前記編集画像で構成される印刷対象画像を配置する印刷領域の分割数を分割数選択手段で選択させる分割数選択処理と、
前記印刷対象画像を前記分割数に応じて配置し予め定められた用紙に印刷手段で印刷する印刷処理とを実行する写真シール作成方法であって、
前記分割数選択手段は、
前記印刷領域中の第１領域内での分割数を選択させる第１分割数選択手段と前記印刷領域中の第２領域内での分割数を選択させる第２分割数選択手段とで構成され、
前記分割数選択処理は、前記第１分割数選択手段と第２分割数選択手段によりそれぞれの分割数をそれぞれ異なる選択方法で選択させる
写真シール作成方法。
【請求項２】
撮影空間内の一以上の被写体を撮影して複数種類の撮影画像を作成する撮影手段と、
前記撮影画像を編集許容する編集手段と、
前記撮影画像または／および前記編集画像で構成される印刷対象画像を配置する印刷領域の分割数を選択させる分割数選択手段と、
前記印刷対象画像を前記分割数に応じて配置し予め定められた用紙に印刷する印刷手段とを備えた写真シール作成装置であって、
前記分割数選択手段を、
前記印刷領域中の第１領域内での分割数を選択させる第１分割数選択手段と前記印刷領域中の第２領域内での分割数を選択させる第２分割数選択手段とで構成し、
該第１分割数選択手段と第２分割数選択手段を、それぞれの分割数をそれぞれ異なる選択方法で選択させる構成にした
写真シール作成装置。
【請求項３】
前記第２分割数選択手段により選択可能な分割数の種類数を、前記第１分割数選択手段により選択可能な分割数の種類数よりも少なくした
請求項２記載の写真シール作成装置。
【請求項４】
前記第１分割数選択手段を、前記印刷対象画像の種類数よりも少ない分割数を選択可能な構成とし、
前記第２分割数選択手段を、前記印刷対象画像の種類数以上の分割数しか選択できない構成とし、
前記第２領域内は、全ての印刷対象画像を配置する構成とした
請求項３記載の写真シール作成装置。
【請求項５】
前記第２分割数選択手段を、全ての印刷対象画像を各々複数枚ずつ配置する種類の分割数が選択された場合に、前記全ての印刷対象画像を各々１種類ずつ全種類まとめた一群単位で配置する構成とした
請求項４記載の写真シール作成装置。
【請求項６】
前記第１分割数選択手段と前記第２分割数選択手段を、表示手段に表示する分割数選択用画像を選択させる構成とし、
前記第１分割数選択手段の分割数選択用画像と前記第２分割数選択手段の分割数選択用画像を同一画面上に表示する構成とした
請求項５記載の写真シール作成装置。
【発明の詳細な説明】
【技術分野】
【０００１】
この発明は、例えば被写体を撮影して撮影画像を取得し、この撮影画像に編集許容して編集画像を取得し、この編集画像を用紙に印刷するような写真シール作成方法およびその装置に関する。
【背景技術】
【０００２】
従来の写真シール作成装置は、娯楽（遊戯）施設等に設置され、被写体を撮影し、撮影で得た撮影画像に編集（落書き）を行い、編集画像もしくは撮影画像を写真シール紙に印刷するという流れで１ゲームが終了する。
【０００３】
このような写真シール作成装置は、女子学生等に多く利用されている。このため、放課後から夕方にかけて、あるいは休日に、写真シール作成装置の周囲が順番待ちのユーザで混みあう傾向がある。  
このように混みあっている場合、ユーザは、２分から４分程度の限られた時間で1ゲームの遊戯を実行する必要がある。
【０００４】
また、このような写真シール作成装置を利用するユーザは、複数人で利用する傾向がある。そして、この複数人のユーザは、１ゲームで印刷された写真シールシートをハサミ等で切り離し、互いに分け合っている。
【０００５】
近年、写真シールシートを切り分けやすくし、ユーザの好みに応じた写真シールを提供できるような写真シール作成装置が提案されている。  
例えば、写真シールシートを分割可能にする領域数を選択でき、さらに各領域内で印刷対象画像、印刷対象画像の数、大きさ、配置などを選択できる写真シール自動販売装置が提案されている（特許文献１参照）。  
しかし、この写真シール自動販売装置は、ユーザが選択しなかった印刷画像は、写真シールシートに印刷されないという問題点があった。
【０００６】
一方、撮影してから編集するまでに編集対象画像として選択されなかった撮影画像の中から、欲しい撮影画像をユーザに選択させ、この撮影画像をおまけ画像として印刷する写真自動販売装置（特許文献２参照）および写真自動撮影装置（特許文献３参照）が提案されている。これにより、ユーザは、編集対象画像として選択しなかった撮影画像の中から、おまけ画像として出力するための画像を選択することができる。  
しかし、これらの装置は、おまけ画像の分割数を選択できるものではなかった。このため、複数人のユーザでおまけ画像を切り分けた場合、それぞれのユーザが希望に沿ったおまけ画像を入手できるとは限らなかった。従って、おまけ画像を提供しても、全てのユーザに満足してもらえるものではなかった。
【０００７】
【特許文献１】特許第３５１６０７４号
【特許文献２】特開２００６−７２０４５号公報
【特許文献３】特開２００６−２５２１９８号公報
【発明の開示】
【発明が解決しようとする課題】
【０００８】
この発明は、上述の問題に鑑み、ユーザの満足度の高い分割数で画像を配置して印刷できる写真シール作成方法および写真シール作成装置を提供することを目的とする。
【課題を解決するための手段】
【０００９】
この発明は、撮影空間内の一以上の被写体を撮影手段で撮影して複数種類の撮影画像を作成する撮影処理と、前記撮影画像を編集手段で編集許容する編集処理と、前記撮影画像または／および前記編集画像で構成される印刷対象画像を配置する印刷領域の分割数を分割数選択手段で選択させる分割数選択処理と、前記印刷対象画像を前記分割数に応じて配置し予め定められた用紙に印刷手段で印刷する印刷処理とを実行する写真シール作成方法またはその装置であって、前記分割数選択手段は、前記印刷領域中の第１領域内での分割数を選択させる第１分割数選択手段と前記印刷領域中の第２領域内での分割数を選択させる第２分割数選択手段とで構成され、前記分割数選択処理は、前記第１分割数選択手段と第２分割数選択手段によりそれぞれの分割数をそれぞれ異なる選択方法で選択させる写真シール作成方法またはその装置であることを特徴とする。
【００１０】
前記撮影空間は、撮影用にユーザに提供する空間を指し、前記撮影手段で撮影可能な範囲の空間、又は、背景部材や出入り口部材等の周景部材で囲繞（若しくは略囲繞）した空間で構成することができる。
【００１１】
前記撮影手段は、デジタルカメラ又はデジタルビデオカメラで構成することができる。  
前記編集手段は、ユーザにタッチペン又は指でタッチされた座標を取得するタッチパネルやマウス等のポインティングデバイス（座標入力手段）で構成することができる。
【００１２】
前記第１分割数選択手段および第２分割数選択手段は、画像を表示する表示手段とタッチパネルやマウスなどのポインティングデバイスで構成するなど、分割数を選択できる適宜の手段で構成することができる。
【００１３】
前記異なる選択方法は、表示手段に表示する選択可能な分割数選択用の画像を異なる画像にする、分割数を異ならせる、分割数選択用の画像の大きさを異ならせる、分割数選択用の画像の配置を異ならせる、あるいはこれらを組み合わせるなど、適宜の方法により異ならせることができる。また、異なる画像は、少なくとも一部とする、あるいは全部とすることができる。
【００１４】
前記印刷手段は、インクジェットプリンタ、昇華型熱転写プリンタや溶融型熱転写プリンタ等の熱転写プリンタ、又はレーザプリンタ等、モノトーン、セピア（ｓｅｐｉａ）トーン又はカラー等で画像を印刷する印刷装置で構成することができる。
【００１５】
前記用紙は、印刷可能層の裏側に粘着層を備えたシール媒体等、貼付可能媒体で構成することができる。  
前記印刷領域の第１領域と第２領域は、印刷領域を２分割したそれぞれの領域で構成するなど、適宜の領域で構成することができる。また、第１領域と第２領域は、互いの大きさが異なる領域でそれぞれ構成することもできる。
【００１６】
この発明により、ユーザは、第１領域と第２領域についてそれぞれ異なる選択方法で分割数を選択することができる。したがって、ユーザの満足度の高い分割数で画像を配置して印刷できる。
【００１７】
この発明の態様として、前記第２分割数選択手段により選択可能な分割数の種類数を、前記第１分割数選択手段により選択可能な分割数の種類数よりも少なく構成することができる。
【００１８】
これにより、ユーザは、第１分割数選択手段で数多い種類の分割数から任意の分割数を選択でき、さらに、第２分割数選択手段で数少ない種類の分割数から任意の分割数を容易に選択できる。
【００１９】
またこの発明の態様として、前記第１分割数選択手段を、前記印刷対象画像の種類数よりも少ない分割数を選択可能な構成とし、前記第２分割数選択手段を、前記印刷対象画像の種類数以上の分割数しか選択できない構成とし、前記第２領域内は、全ての印刷対象画像を配置する構成とすることができる。  
これにより、全ての印刷対象画像の印刷を第２領域内に確保した上で、ユーザが好みの印刷対象画像を選択して第１領域内に印刷することができる。
【００２０】
またこの発明の態様として、前記第２分割数選択手段を、全ての印刷対象画像を各々複数枚ずつ配置する種類の分割数が選択された場合に、前記全ての印刷対象画像を各々１種類ずつ全種類まとめた一群単位で配置する構成とすることができる。  
これにより、複数人のユーザは、前記一群単位で切り取って分ければ、各ユーザの取り分に全ての印刷対象画像が含まれることができる。
【００２１】
またこの発明の態様として、前記第１分割数選択手段と前記第２分割数選択手段を、表示手段に表示する分割数選択用画像を選択させる構成とし、前記第１分割数選択手段の分割数選択用画像と前記第２分割数選択手段の分割数選択用画像を同一画面上に表示する構成とすることができる。
【００２２】
前記表示手段は、液晶ディスプレイまたはＣＲＴディスプレイなど、画像を表示する手段で構成することができる。  
また、前記分割数選択用画像は、ボタン画像またはアイコン画像など、選択可能な適宜の画像で構成することができる。  
この発明により、第１分割数選択手段による分割数の選択と第２分割数選択手段による分割数の選択を効率良く行うことができる。
【発明の効果】
【００２３】
この発明により、分割数の選択に関して効果的で利便性が高い写真シール作成方法および写真シール作成装置を提供し、ユーザの満足度を向上させることができる。
【発明を実施するための最良の形態】
【００２４】
この発明の一実施形態を以下図面と共に説明する。  
図１は写真シール作成装置１を正面側から見た斜視図を示す。
【００２５】
写真シール作成装置１は、正面を撮影空間Ｚに向けて設置された撮影筐体２と、該撮影筐体２の背面側に連設された編集筐体３とで主に構成されている。なお、図１では、撮影空間Ｚの上方の天井４、撮影空間Ｚの後方面の背面パネル６、撮影空間Ｚの後方左右側面の側面パネル５、および撮影空間Ｚの左右側面の出入り口カーテン７を透明化して図示している。ここで、背面パネル６は、カーテンや板等の背景部材で構成されて撮影画像の背景となるものである。
【００２６】
撮影空間Ｚの上方の天井４には、ストロボ照明体２３ａと蛍光灯２３ｂと拡散板２３ｃとで構成される天井中央照明ユニット２３８が設けられている。この天井中央照明ユニット２３８は、ストロボ照明体２３ａと蛍光灯２３ｂの照明光を拡散板２３ｃで拡散した拡散光により、撮影空間Ｚ内の被写体となるユーザを上から照明する。ユーザが後方に下がって全身撮影を行う際には、ユーザを前方斜め上から照明し、ユーザの主に顔を照明できる。
【００２７】
撮影空間Ｚの上後方の天井４には、蛍光灯２３ｂと拡散板２３ｃとで構成される天井後方照明ユニット２３７が設けられている。この天井後方照明ユニット２３７は、蛍光灯２３ｂの照明光を拡散板２３ｃで拡散した拡散光により、撮影空間Ｚ内のユーザを上後方から照明する。
【００２８】
撮影空間Ｚの後方部分の床面には、撮影補助椅子９が設置されている。この撮影補助椅子９は、ユーザが撮影の際に上に乗ったり腰掛けたりして利用するものである。  
撮影補助椅子９の後方には、ストロボ照明体２３ａと拡散板２３ｃとで構成される背景照明ユニット２３９が設けられている。この背景照明ユニット２３９は、背面パネル６や撮影補助椅子９後方を下から照明することで、背景を明るくするものである。これにより、背面パネル６と撮影補助椅子９の両方をクロマキー合成用に同一色とした場合に、両者の間に影が生じることを防止してクロマキー合成の精度を高めている。
【００２９】
撮影筐体２は、主に上段部分２Ａ、中段部分２Ｂ、下段部分２Ｃに分けて構成されている。
【００３０】
上段部分２Ａには、左側の上段左照明ユニット２３１Ａ、中央の上段中央照明ユニット２３１Ｂ、および右側の上段右照明ユニット２３１Ｃが設けられている。この照明ユニット２３１Ａ〜２３１Ｃは、撮影空間Ｚで全身撮影するユーザをこの面光により照明できる。
【００３１】
上段中央照明ユニット２３１Ｂの中央部分には、上下方向に長い部分照明ユニット２３２が設けられている。この部分照明ユニット２３２は、上半身（若しくは顔付近）のアップ撮影を行うユーザの顔、特に鼻筋辺りを拡散光により照明する。
【００３２】
上段部分２Ａと中段部分２Ｂとの間には、撮影空間Ｚ内のユーザを撮影するデジタル式のカメラ２４が左右方向中央に設けられている。このカメラ２４は、撮影前にはポーズをとっているユーザのライブビュー映像（動画）を取得し、撮影時には高解像度の撮影画像（静止画）を取得する。
【００３３】
カメラ２４の左右には、球状照明ユニット２３３Ａ，２３３Ｃが左右対称に配設されている。この球状照明ユニット２３３Ａ，２３３Ｃは、半球形に形成され、撮影空間Ｚ内で顔付近のアップ撮影をするユーザを柔らかい面光で照明する。
【００３４】
中段部分２Ｂには、左側の中段左照明ユニット２３５Ａ、中央の中段中央照明ユニット２３５Ｂ、および右側の中段右照明ユニット２３５Ｃが設けられている。この照明ユニット２３５Ａ〜２３５Ｃは、撮影空間Ｚにてアップ撮影するユーザを面光により照明できる。
【００３５】
また、中段中央照明ユニット２３５Ｂは、正面に拡散板ではなくスクリーン板６０が設けられている。このスクリーン板６０は、表示照明兼用ユニット（図示省略）の一部であり、内部に備えられたストロボ照明体の照明光を拡散する拡散板として機能するだけでなく、内部に備えられたプロジェクタ２５（後述の図２参照）の投射映像を投影するスクリーンとしても機能する。
【００３６】
中段右照明ユニット２３５Ｃの正面中央部分には、タッチパネルモニタ２６が設けられている。このタッチパネルモニタ２６には、撮影時の立ち位置や撮影タイミングなどの情報や撮影における撮影条件を選択許容する画面（例えば、写りや明るさを選択させる画面）を表示してユーザに必要な情報を案内する。
【００３７】
下段部分２Ｃには、左側の下段左照明ユニット２３６Ａと右側の下段右照明ユニット２３６Ｃとが設けられている。この照明ユニット２３６Ａ，２３６Ｃは、撮影空間Ｚで全身撮影するユーザの体をこの面光により照明できる。
【００３８】
これらの照明ユニット２３１〜２３６は、平面状の拡散板がそれぞれの正面に設けられ、内部にストロボ照明体および蛍光灯が設けられている。また、ストロボ照明体および蛍光灯を囲む拡散板以外の壁面は、表面が白色塗装されて反射面として構成されている。これにより、略均一な面光により照明する照明ボックスとして機能する。
【００３９】
なお、各照明ユニット２３１〜２３９に用いられている拡散板２３ｃは、数ミリ程度の肉厚で乳白色の半透明でアクリル製の板部材で構成されている。したがって、拡散板２３ｃの厚み全体で光を拡散する。
【００４０】
また、下段左照明ユニット２３６Ａと下段右照明ユニット２３６Ｃの間となる中央部分には、ゲームプレイに必要な硬貨の投入を許容する硬貨投入口２１ａと、投入硬貨の返却や釣銭の返却等を行う返却口２１ｂと、荷物置き用の荷物置き部２９が設けられている。
【００４１】
図２は、写真シール作成装置１のブロック図を示す。  
写真シール作成装置１は、制御装置１２に接続して、記憶部１１、通信部１３、ドライブ１４、ＲＯＭ１６、ＲＡＭ１７、撮影部２０、編集部３０、およびプリンタ３７が設けられている。
【００４２】
記憶部１１は、ハードディスクなどの記憶装置で構成されている。この記憶部１１は、編集処理に使用する編集ツールのデータや照明設定データ、およびプレイ時間設定データなどの各種データを記憶しており、制御装置１２による設定情報の読み込みおよび保存を許容する。
【００４３】
通信部１３は、インターネットなどの通信網を介してサーバ等の適宜の装置と通信するＬＡＮカード等の通信装置で構成されている。この通信部１３は、制御装置１２の制御信号に従って、撮影画像や編集画像をサーバのデータベースに登録する、あるいはユーザのメールアドレスへ撮影画像や編集画像を送信するといった動作を行う。
【００４４】
ドライブ１４は、携帯型の不揮発性メモリやＵＳＢメモリといったリムーバブルメディア１５に対してデータの読み書きを行うドライブ装置で構成されている。このドライブ１４は、制御装置１２の制御信号に従って、撮影画像や編集画像をユーザの所有するリムーバブルメディア１５に書き込み、またリムーバブルメディア１５に記憶されている撮影画像や編集画像、あるいは編集用アイテムといったデータを読取る。
【００４５】
ＲＯＭ１６は、写真シール作成装置１で実行するゲームのプログラムやメンテナンス用のプログラムなど、各種プログラムやデータを記憶している。  
ＲＡＭ１７は、制御装置１２によって一時記憶領域として使用される。
【００４６】
撮影部２０は、硬貨処理部２１、背景制御部２２、照明装置２３、カメラ２４、プロジェクタ２５、タッチパネルモニタ２６、およびスピーカ２７といったように、撮影空間Ｚ側に配置された各種装置で構成されている。
【００４７】
硬貨処理部２１は、硬貨投入口２１ａ（図１参照）から投入された硬貨の投入金額が１ゲーム（硬貨投入から写真シール紙排出まで）に必要な金額以上であれば、起動信号を制御装置１２に送信する。
【００４８】
照明装置２３は、制御装置１２から受信した照明制御信号に従い、上述した各照明ユニット２３１〜２３９のストロボ照明体２３ａから閃光を照射する。  
カメラ２４は、制御装置１２から受信したシャッタ信号に従って撮影を実行し、取得した撮影画像や動画像の画像データを制御装置１２に送信する。
【００４９】
プロジェクタ２５は、制御装置１２から受信したＲＧＢ信号に従って、撮影前の確認用にカメラ２４で撮影している動画像をスクリーン板６０に投影させてライブビュー表示し、また撮影により取得した撮影画像を静止画表示するといった表示を実行する。
【００５０】
タッチパネルモニタ２６は、制御装置１２からＲＧＢ信号を受信し、撮影モードの選択画面の表示、撮影の際の立ち位置の案内、および撮影タイミングのカウントダウンなど、撮影に必要な情報を表示する。また、ユーザに入力された入力信号（座標信号）を制御装置１２に送信する。
【００５１】
スピーカ２７は、制御装置１２の音声信号に従って、撮影のシャッタタイミングを知らせるカウントダウンや、２つある編集空間のいずれか一方への移動を促す移動案内などを音声によりアナウンスする。
【００５２】
編集部３０は、タブレット内蔵モニタ３１、編集用モニタ３２、タブレット３３、タッチペン３４、スピーカ３５、および硬貨処理部３６で構成されている。  
タブレット内蔵モニタ３１は、制御装置１２から受信するＲＧＢ信号に従って、撮影画像のサムネイル画像、フリーハンドペンや塗りつぶしツールやスタンプツールや背景ツールといった編集ツール、および編集中の編集画像など、編集に必要な画像をタブレット内蔵モニタ３１に表示する。  
タブレット３３は、タッチペン３４によってユーザにタッチ入力された座標を入力信号として制御装置１２に送信する。
【００５３】
スピーカ３５は、制御装置１２からの音声信号に従って、編集許容する残り時間や編集操作の説明などを音声によりアナウンスする。  
硬貨処理部３６は、硬貨投入口から投入された硬貨の投入金額が写真シールシートの追加印刷に必要な金額以上であれば、起動信号を制御装置１２に送信する。  
プリンタ３７は、制御装置１２から受信する印刷データを、シール紙ユニット４０に備えられているシール紙４２に印刷する。このプリンタ３７は、高精細なプリンタ（例えば１２００ｄｐｉ程度）で構成されている。
【００５４】
図３は、タブレット内蔵モニタ３１に表示する分割数選択画面７０の構成図を示す。  
分割数選択画面７０は、おまけ画像選択部７１と、複数のメイン画像分割数選択ボタン７６と、決定ボタン７８とで構成されている。
【００５５】
おまけ画像選択部７１は、画面左上の角位置に、メイン画像分割数選択ボタン７６の１つと同じ程度の大きさに設けられている。このおまけ画像選択部７１には、分割イメージ表示部７２と、ノーマルおまけ分割選択ボタン７３と、ミニおまけ分割選択ボタン７４とが設けられている。
【００５６】
ノーマルおまけ分割選択ボタン７３は、選択されると、編集された編集済み画像８２（後述の図４参照）を全て１枚ずつ配置する。  
ミニおまけ分割選択ボタン７４は、選択されると、編集された編集済み画像８２（後述の図４参照）を各々１枚ずつ全種類配置した一群単位で２つ横並びに配置する。したがって、ミニおまけ分割選択ボタン７４が選択されると、同じ編集済み画像８２が、左右に分かれて２つずつ配置されることになる。
【００５７】
このノーマルおまけ分割選択ボタン７３とミニおまけ分割選択ボタン７４により、２種類の分割数を選択許容している。
【００５８】
メイン画像分割数選択ボタン７６は、縦横に計１１個整列配置されている。このメイン画像分割数選択ボタン７６により、４分割、８分割、１２分割、１６分割、２０分割、２４分割、３２分割、３人用１８分割、３人用２４分割、３人用３６分割、および３人用４８分割の１１種類の分割数から１つを選択許容する。各メイン画像分割数選択ボタン７６は、ユーザが分割イメージを理解できるように、分割イメージ画像を表示している。
【００５９】
決定ボタン７８は、１１個のメイン画像分割数選択ボタン７６の中から１つ選択されたメイン画像分割数選択ボタン７６と、ノーマルおまけ分割選択ボタン７３およびミニおまけ分割選択ボタン７４から選択された一方とに決定するボタンである。
【００６０】
図４は、印刷画像を選択許容する印刷画像選択画面８０の構成図を示す。  
印刷画像選択画面８０は、編集画像表示部８１と、タイマ表示部８３と、印刷画像表示部８４と、決定ボタン８７とで構成されている。
【００６１】
編集画像表示部８１は、複数の編集済み画像８２が表示されている。この実施例では、６枚の編集済み画像８２が表示されている。また、ここで表示する編集済み画像８２は、実際に編集されているか否かに関わらず、撮影画像のうちユーザに編集対象画像としてキープ選択された画像を表示している。  
タイマ表示部８３は、印刷画像を選択許容する残り時間を秒単位で表示している。この表示は、１秒毎に表示を更新する。
【００６２】
印刷画像表示部８４は、複数の印刷画像表示領域８５が配置されている。各印刷画像表示領域８５には、編集画像表示部８１で選択された編集済み画像８２が表示される。印刷画像表示領域８５の数は、分割数選択画面７０で選択された分割数に対応している。図示する例では、４分割が選択された場合であり、４つの印刷画像表示領域８５が表示されている。印刷画像表示領域８５に表示している印刷画像が選択された場合、この印刷画像を選択解除し、他の印刷画像を選択できるようにしている。なお、編集済み画像８２が印刷画像表示領域８５にドラッグされた場合、ドラッグされた場所の印刷画像表示領域８５に編集済み画像８２を表示する。
【００６３】
決定ボタン８７は、印刷する画像を印刷画像表示部８４の印刷画像表示領域８５に表示されている画像に決定するボタンである。
【００６４】
図５は、実際にシール紙に印刷したときの印刷レイアウトを示す説明図である。ここで、印刷レイアウトとは、分割数と画像の配置を定めるものである。  
図５（Ａ）に示す４分割ノーマルパターンの印刷レイアウト９０は、メイン印刷領域９１が４分割されている。この４分割された各領域には、複数の編集済み画像８２（例えば６種類）のうち図４の印刷画像選択画面８０で選択された印刷画像（例えば４種類）が１つずつ表示されている。また、この印刷レイアウト９０は、おまけ印刷領域９２に、ノーマルパターンで印刷画像が表示されている。このノーマルパターンでは、全ての編集済み画像８２（例えば６種類）をいずれも１つずつ使用して配置している。
【００６５】
図５（Ｂ）に示す４分割ミニパターンの印刷レイアウト９０は、図５（Ａ）の４分割ノーマルパターンの印刷レイアウト９０と比べて、おまけ印刷領域９２にミニパターンで全ての編集済み画像８２が配置されている点が異なってる。このミニパターンでは、全ての編集済み画像８２（例えば６種類）を１枚ずつ３列２行に並べ、この一群の画像を列方向に２つ並べて配置している。
【００６６】
図５（Ｃ）に示す１２分割ノーマルパターンの印刷レイアウト９０は、上述した図５（Ａ）の４分割ノーマルパターンのメイン印刷領域９１を１２分割しただけであり、他は４分割ノーマルパターン（図５（Ａ））と同一である。
【００６７】
図５（Ｄ）に示す４分割ミニパターンのメイン印刷領域９１を１２分割しただけであり、他は４分割ミニパターン（図５（Ｂ））と同一である。
【００６８】
このように構成される印刷レイアウト９０は、メイン印刷領域９１よりおまけ印刷領域９２が小さく構成されている。この実施例では、おまけ印刷領域９２がメイン印刷領域９１の３分の１以下、具体的には７分の１程度に形成されている。また、おまけ印刷領域９２は、長方形の印刷レイアウト９０の一方の短辺側に片寄せて設けられている。
【００６９】
図６は、写真シール作成装置１の全体動作を示すフローチャートであり、図７は、写真シール作成装置１の編集処理の動作を示すフローチャートであり、図８は、写真シール作成装置１の印刷処理の動作を示すフローチャートである。
【００７０】
写真シール作成装置１の制御装置１２は、まず、タッチパネルモニタ２６にデモ画面（図示省略）を表示する（ステップＳ１）。  
制御装置１２は、所定金額の硬貨が投入されるまで待機し（ステップＳ２：Ｎｏ）、所定金額の硬貨が投入されると（ステップＳ２：Ｙｅｓ）、撮影処理を行う（ステップＳ３）。この撮影処理では、タッチパネルモニタ２６の表示とスピーカ２７の音声出力によりカウントダウンを行い、照明ユニット２３１〜２３９により照明したユーザをカメラ２４にて撮影して撮影画像を取得する。この撮影処理で、制御装置１２は、複数回の撮影を行い、複数枚の撮影画像を取得する。そして、撮影した撮影画像の枚数が編集可能な枚数（例えば６枚）よりも多い場合、制御装置１２は、どの撮影画像をキープ画像として編集および印刷するかユーザに選択させる。
【００７１】
制御装置１２は、タッチパネルモニタ２６の表示とスピーカ２７の音声出力により移動案内を行い、ユーザが編集空間に移動するように誘導する（ステップＳ４）。
【００７２】
制御装置１２は、前記撮影画像に編集する編集処理を実行する（ステップＳ５）。  
図７に示すように、この編集処理を行う制御装置１２は、まず、全ての撮影画像または全てのキープ画像を編集対象画像として取得し（ステップＳ１１）、タブレット内蔵モニタ３１に表示した編集開始ボタンがタッチペン３４でタッチされるまで待機する（ステップＳ１２：Ｎｏ）。
【００７３】
編集開始ボタンがタッチペン３４でタッチされると（ステップＳ１２：Ｙｅｓ）、制御装置１２は、タブレット内蔵モニタ３１に編集画面を表示し、編集入力の受け付けを開始する（ステップＳ１３）。この編集画面には、複数の編集対象画像を小さくサムネイル表示し、ユーザに選択された編集対象画像を編集可能に大きく表示する。また、編集画面には、フリーハンドペンや塗りつぶしツールやスタンプツールや背景ツールといった編集ツールも表示する。また、編集画面は左右に２つ表示している。そして、２つ備えられたタッチペン３４のうち、右側のタッチペン３４は右半分の編集画面に編集でき、左側のタッチペン３４は左半分の編集画面に編集できる構成になっている。これにより、ユーザは、タッチペン３４により編集ツールを選択し、この編集ツールを用いて編集対象画像に編集することができる。ユーザが複数人の場合は、２つのタッチペン３４を用いて、左右の編集画面にそれぞれ独立して並列処理で編集操作を行うことができる。
【００７４】
制御装置１２は、所定時間（例えば３分）が経過するか、タブレット内蔵モニタ３１に表示している終了ボタンがタッチペン３４でタッチされるまで（ステップＳ１４：Ｎｏ）、編集入力の受け付けを許容する。
【００７５】
所定時間（例えば３分）が経過するか、タブレット内蔵モニタ３１に表示している終了ボタンがタッチペン３４でタッチされると（ステップＳ１４：Ｙｅｓ）、制御装置１２は、編集入力の受け付けを終了する（ステップＳ１５）。
【００７６】
このように編集処理が終了すると、図６に示すように、制御装置１２は、印刷処理を実行する（ステップＳ６）。  
図８に示すように、この印刷処理を行う制御装置１２は、まず、タブレット内蔵モニタ３１に分割数選択画面７０を表示し、ユーザに印刷レイアウトを選択させる（ステップＳ２１）。この印刷レイアウトの選択は、複数表示しているメイン画像分割数選択ボタン７６のいずれか１つを選択させることによって行う。
【００７７】
また、制御装置１２は、印刷レイアウトの選択と並行して、ユーザにおまけ画像の分割数を選択させる（ステップＳ２２）。このおまけ画像の分割数の選択は、ノーマルおまけ分割選択ボタン７３とミニおまけ分割選択ボタン７４のいずれか１つをユーザに選択させることにより行う。
【００７８】
この実施例では、おまけ画像選択部７１でノーマルおまけ分割選択ボタン７３とミニおまけ分割選択ボタン７４により選択可能な分割数の種類（２種類）より、メイン画像分割数選択ボタン７６で選択可能な分割数の種類（１１種類）を、２倍以上（好ましくは５倍以上）多くしている。
【００７９】
このメイン画像分割数選択ボタン７６の選択と、ノーマルおまけ分割選択ボタン７３とミニおまけ分割選択ボタン７４の選択は、２つ備えられたタッチペン３４のどちらでも選択できる。
【００８０】
制御装置１２は、決定ボタン７８がタッチ操作されず（ステップＳ２３：Ｎｏ）、所定時間（例えば２０秒）経過するまでは（ステップＳ２４：Ｎｏ）、ステップＳ２１とステップＳ２２を許容する。
【００８１】
所定時間が経過すると（ステップＳ２４：Ｙｅｓ）、制御装置１２は、メイン画像分割数選択ボタン７６の選択とおまけ分割選択ボタン７３，７４の選択をデフォルト設定が選択されたものとし（ステップＳ２５）、ステップＳ３２に処理を進める。
【００８２】
決定ボタン７８がタッチ操作されると（ステップＳ２３：Ｙｅｓ）、制御装置１２は、印刷画像選択を要するレイアウト（この実施例では４分割）が選択されなければ（ステップＳ２６：Ｎｏ）、ステップＳ３２に処理を進める。
【００８３】
印刷画像選択を要するレイアウトが選択されると（ステップＳ２６：Ｙｅｓ）、制御装置１２は、タブレット内蔵モニタ３１に印刷画像選択画面８０を表示し、編集画像表示部８１に編集済み画像８２を並べて表示する（ステップＳ２７）。
【００８４】
制御装置１２は、複数枚（例えば６枚）並べた編集済み画像８２から、所定枚数（例えば４枚）の画像を印刷画像として選択させる（ステップＳ２８）。このとき選択された印刷画像は、印刷画像表示領域８５に表示する。
【００８５】
決定ボタン８７がタッチ操作されなければ（ステップＳ２９：Ｎｏ）、制御装置１２は、所定時間（例えば２０秒）が経過するまで（ステップＳ３０：Ｎｏ）、ステップＳ２８の印刷画像選択を許容する。
【００８６】
所定時間が経過すると（ステップＳ３０：Ｙｅｓ）、制御装置１２は、印刷画像の選択をデフォルト設定が選択されたものとし（ステップＳ３１）、ステップＳ３２に処理を進める。
【００８７】
決定ボタン８７がタッチ操作されると（ステップＳ２９：Ｙｅｓ）、制御装置１２は、図５に示したように、メイン画像分割数選択ボタン７６で選択されたレイアウトと、おまけ分割選択ボタン７３，７４で選択されたレイアウトを並べた印刷レイアウト９０に、編集済み画像８２を配置して印刷データを作成する（ステップＳ３２）。
【００８８】
このとき、前記ステップＳ２６で印刷画像選択を要する印刷レイアウトと判定した場合、制御装置１２は、印刷レイアウト９０におけるメイン印刷領域９１に、選択された印刷画像のみ（複数の編集済み画像８２のうち選択された画像）を配置し、おまけ印刷領域９２に、全ての編集済み画像８２を配置する。
【００８９】
また、前記ステップＳ２６で印刷画像選択を要しない印刷レイアウトと判定した場合、制御装置１２は、印刷レイアウト９０におけるメイン印刷領域９１に全ての編集済み画像８２を配置し、おまけ印刷領域９２にも全ての編集済み画像８２を配置する。
【００９０】
制御装置１２は、作成した印刷データのシール紙への印刷を開始し（ステップＳ３３）、印刷処理を終了する。
【００９１】
このように印刷処理が終了すると、制御装置１２は、図６に示すように事後接客処理を実行する（ステップＳ７）。この事後接客処理では、画像を携帯端末に送信できるゲームや、画像を投稿できるゲームなどのミニゲームを提供しており、これらの複数のミニゲームからユーザに選択されたミニゲームを実行する。
【００９２】
制御装置１２は、移動案内画面を表示し、印刷が完成した写真シールシートの排出口へ移動するようにユーザに案内し（ステップＳ８）、写真シールシートを排出し（ステップＳ９）、処理を終了する。
【００９３】
以上の構成および動作により、ユーザは、印刷レイアウト９０に編集済み画像８２が配置されてシール紙４２に印刷された写真シールシートを取得することができる。また、ユーザは、この写真シールシートから１つずつの編集済み画像８２部分を切り取ることで、写真シールを得ることができる。このとき、メイン印刷領域９１から切り取られた編集済み画像８２部分は、メイン写真シールとなり、おまけ印刷領域９２から切り取られた編集済み画像８２部分は、おまけ写真シールとなる。
【００９４】
また、写真シール作成装置１は、判りやすく操作しやすいインターフェースでユーザに分割数を選択させることができ、ユーザの満足度を向上させることができる。
【００９５】
詳述すると、印刷レイアウト９０のメイン印刷領域９１に印刷する編集済み画像８２は、メイン画像分割数選択ボタン７６により、充実した多種類の分割数から選択させることができる。このため、ユーザは、編集済み画像８２を少ない数（少ない種類および少ない枚数）で大きく印刷する４分割から、編集済み画像８２を数多く小さく印刷する４８分割まで、大きさの異なる複数種類の編集済み画像８２を混合配置した混合分割（１２分割、２０分割、２４分割、４８分割）も含めて、自由に選択することができる。
【００９６】
また、印刷レイアウト９０のおまけ印刷領域９２に印刷する編集済み画像８２は、全ての編集済み画像８２を、通常サイズで印刷するか小さいサイズで数を多く印刷するか簡単に選択することができる。
【００９７】
このように、メイン印刷領域９１（分割数１１種類）とおまけ印刷領域９２（分割数２種類）で異なる選択方式により別々に独立して分割数を選択させることで、ユーザ好みの分割数を容易に短時間で選択させることができる。また、ユーザが複数人である場合に、おまけ印刷領域９２に印刷された編集済み画像８２について、それぞれのユーザが希望に沿った編集済み画像８２を入手できる。
【００９８】
また、メイン印刷領域９１で編集済み画像８２の種類数よりも少ない分割数を選択し、メイン印刷領域９１に印刷できない編集済み画像８２が存在しても、おまけ印刷領域９２に全ての編集済み画像８２を確実に印刷することができる。したがって、ユーザは全種類の編集済み画像８２の印刷を確保した上で、分割数を自由に選択することができる。
【００９９】
また、おまけ分割選択ボタン７３，７４とメイン画像分割数選択ボタン７６の見た目や個数を異ならせているため、メイン印刷領域９１とおまけ印刷領域９２で選択方法が異なり、ユーザは、混乱することなく好みのサイズの編集済み画像８２が得られる印刷レイアウト９０を容易に決定することができる。
【０１００】
また、おまけ分割選択ボタン７３，７４とメイン画像分割数選択ボタン７６を一画面に表示しているため、ユーザは、好きな方から自由に選択することができる。また、両方のバランスを考えて、メイン画像分割数選択ボタン７６が４分割ならおまけ分割選択ボタン７３，７４をミニにする、あるいはメイン画像分割数選択ボタン７６が４８分割ならおまけ分割選択ボタン７３，７４をノーマルにするといった調整を容易に行うことができる。
【０１０１】
また、おまけ分割選択ボタン７３，７４とメイン画像分割数選択ボタン７６を一画面に表示しているため、ユーザが複数人の場合、相談しながら選択することができる。
【０１０２】
また、プリンタ３７が高精細であるため、小さく縮小した画像を、写っているユーザの目、鼻、眉、口などが潰れることなく明瞭に印刷できる。特に、ミニおまけ分割選択ボタン７４が選択され、おまけ印刷領域９２に編集済み画像８２を最小サイズ（例えば１０ｍｍ×１４ｍｍ程度）で印刷する場合に、小さくても明瞭に印刷できることでユーザの満足度を向上させることができる。
【０１０３】
また、このように小さく印刷できるため、ユーザは、例えば携帯電話機の液晶画面の縁におまけ写真シールを貼るといったように、小さな場所に写真シールを貼り付けて利用できる。
【０１０４】
また、例えばユーザが２人の場合、ユーザは、ミニおまけ分割選択ボタン７４を選択すれば、おまけ印刷領域９２に編集済み画像８２が６種類ずつ左右に配置され、おまけ印刷領域９２の編集済み画像８２を二人で均等に分け合えることが容易にできる。
【０１０５】
なお、おまけ分割選択ボタン７３，７４とメイン画像分割数選択ボタン７６は、同一画面上に配置したが、別画面で選択させる構成としてもよい。この場合、まずメイン画像分割数選択ボタン７６でメイン印刷領域９１に印刷する分割数を選択させ、次におまけ分割選択ボタン７３，７４でおまけ印刷領域９２に印刷する分割数を選択させるとよい。またこの場合、分割数が編集対象画像数より少ない場合に、メイン画像分割数選択ボタン７６で分割数が選択された後に印刷画像選択画面８０で印刷画像を選択させ、その次に別画面でおまけ分割選択ボタン７３，７４によりおまけ印刷領域９２に印刷する分割数を選択させるとよい。  
この場合、ユーザは、メイン画像分割数選択ボタン７６による分割数の選択と、おまけ分割選択ボタン７３，７４による分割数の選択を、順番に実行することができる。従って、ユーザインターフェースをさらに単純化することができ、ユーザに対して操作を容易に理解させることができる。
【０１０６】
また、ステップＳ２１〜Ｓ２５の分割数の選択は、ステップＳ５の編集処理の後に実行する構成としたが、これに限らず、ステップＳ５の編集処理の前に実行する構成としてもよい。この場合、編集済み画像８２の種類数（例えば６種類）より少ない分割数（例えば４分割）を選択できない構成にすると良く、ステップＳ２６〜Ｓ３１の画像選択処理を省略すればよい。  
これにより、ユーザが写真シールシートを受け取るまでの時間を短縮することができる。詳述すると、写真シール作成装置１の制御装置１２は、印刷に際して、撮影画像（若しくは編集済み画像８２）を印刷画像サイズの画像データに縮小する。この縮小処理にはある程度の時間を要するため、編集処理後に分割数を選択させると、この分割数が選択された後に縮小処理を実行する待ち時間が生じる。これに対し、分割数を先に選択させてから編集処理を行うことで、撮影画像を印刷画像サイズに縮小する縮小処理を、編集処理中に該編集処理と並列処理で実行することができる。これにより、編集処理完了後に縮小処理時間を要することなくすぐに印刷開始でき、その分時間短縮を図ることができる。
【０１０７】
また、メイン画像分割数選択ボタン７６とおまけ分割選択ボタン７３，７４により選択できる画像は、全部異なる画像で構成してもよい。この場合、例えばメイン印刷領域９１の画像として編集済み画像８２を用い、おまけ印刷領域９２の画像として撮影画像を用いる、あるいは、メイン印刷領域９１の画像として撮影画像を用い、おまけ印刷領域９２の画像として編集済み画像８２を用いることができる。これにより、各選択ボタン（７３，７４，７６）で選択できる画像を全部異ならすことができ、バリエーションが豊富でわかりやすいインターフェースをユーザに提供できる。
【０１０８】
また、撮影時にユーザを照明する照明ユニット２３１〜２３９は、ストロボ照明体２３ａと蛍光灯２３ｂと拡散板２３ｃと反射面とで構成したが、これに限らず、適宜の照明手段を備えてもよい。
【０１０９】
この発明の構成と、上述の実施形態との対応において、
この発明の撮影手段は、実施形態のカメラ２４に対応し、
以下同様に、
表示手段は、タブレット内蔵モニタ３１に対応し、
編集手段は、タブレット内蔵モニタ３１およびタッチペン３４に対応し、
印刷手段は、プリンタ３７に対応し、
用紙は、シール紙４２に対応し、
第２分割数選択手段、および第２分割数選択手段の分割数選択用画像は、ノーマルおまけ分割選択ボタン７３およびミニおまけ分割選択ボタン７４に対応し、
第１分割数選択手段、および第１分割数選択手段の分割数選択用画像は、メイン画像分割数選択ボタン７６に対応し、
印刷対象画像は、編集済み画像８２または印刷画像に対応し、
印刷領域は、印刷レイアウト９０に対応し、
第１領域は、メイン印刷領域９１に対応し、
第２領域は、おまけ印刷領域９２に対応し、
撮影空間は、撮影空間Ｚに対応し、
撮影処理は、ステップＳ３に対応し、
編集処理は、ステップＳ５に対応し、
印刷処理は、ステップＳ６に対応し、
分割数選択処理は、ステップＳ２１，Ｓ２２に対応し、
第２分割数選択手段により選択可能な分割数の種類数は、２種類に対応し、
第１分割数選択手段により選択可能な分割数の種類数は、１１種類に対応し、
一部使用分割数は、４分割に対応するも、
この発明は、上述の実施形態の構成のみに限定されるものではなく、多くの実施の形態を得ることができる。
【図面の簡単な説明】
【０１１０】
【図１】写真シール作成装置を正面側から見た斜視図。
【図２】写真シール作成装置のブロック図。
【図３】タッチパネルモニタに表示する分割数選択画面の構成図。
【図４】印刷画像を選択許容する印刷画像選択画面の構成図。
【図５】実際にシール紙に印刷したときの印刷レイアウトを示す説明図。
【図６】写真シール作成装置の全体動作を示すフローチャート。
【図７】写真シール作成装置の編集処理の動作を示すフローチャート。
【図８】写真シール作成装置の印刷処理の動作を示すフローチャート。
【符号の説明】
【０１１１】
１…写真シール作成装置、２４…カメラ、３１…タブレット内蔵モニタ、３４…タッチペン、３７…プリンタ、４２…シール紙、７３…ノーマルおまけ分割選択ボタン、７４…ミニおまけ分割選択ボタン、７６…メイン画像分割数選択ボタン、８２…編集済み画像、９０…印刷レイアウト、９１…メイン印刷領域、９２…おまけ印刷領域、Ｚ…撮影空間
【図１】
2008283365.tif 000003
【図２】
2008283365.tif 000004
【図３】
2008283365.tif 000005
【図４】
2008283365.tif 000006
【図５】
2008283365.tif 000007
【図６】
2008283365.tif 000008
【図７】
2008283365.tif 000009
【図８】
2008283365.tif 000010